(57)【特許請求の範囲】
【請求項１】
建物のパラペット部の頂部に取付けられ、一部がこのパラペット部から建物内側に所定間隔をもって突出するようにして設けられたホルダと、
このホルダの上部に装着される笠木と、
上記ホルダの建物内側に連結具を用いて取付けられこの連結具と連結される連結部、この連結部から下向きに形成され保護パネルの上部の片面を受ける受け板及びこの受け板から所定の間隔をおいて設けられる側板とからなる上部枠部材と、
上部に溝部を有し、上記上部枠部材の下方の建物の基礎面に上部枠部材と平行に取付けられる長尺状の下部枠部材と、
上記下部枠部材の溝部に下端部が挿入され、上記上部枠部材の受け板に上端の裏面部が当接される矩形状の保護パネルと、
上記上部枠部材の上記側板の前面に固定され、下部面によって上記保護パネル上端の表面部を押圧固定する長尺板状の押え部材とを有し、
上記上部枠部材を上記ホルダに止着する上記連結具は、
このホルダの下部に上部枠部材方向に取り付けられ、ホルダの上部に立設される支持部の一端部に係合する切欠部及びホルダの他端部側に開口部を有する下部連結具と、
上記支持部の他端部に係合する切欠部を有し、上記下部連結具の開口部と合致する位置に孔部を有する上部連結具と、
上記上部枠部材の上面に設けられた溝部に摺動可能に頭部が挿入されるボルト及び、上記下部連結具の開口部及び上部連結部の孔部を通過するボルト軸部を螺合するナットとを具備することを特徴とする建物パラペット部の保護装置。
【請求項２】
上記下部連結具の開口部及び上部連結具の孔部の形状は、ともにパラペット部の幅方向に長い長孔状であることを特徴とする請求項１に記載された建物パラペット部の保護装置。
【請求項３】
上記上部枠部材には、挟持により保護パネルの上端部を仮止めするクリップを止める係止部が設けられていることを特徴とする請求項１又は請求項２に記載された建物パラペット部の保護装置。
【発明の詳細な説明】
【０００１】
【発明の属する技術分野】
本発明は、建物パラペット部の保護装置に関する。
【０００２】
【従来の技術】
一般に建物のパラペット等の立上り躯体の頂部は笠木で保護されているが、このようなパラペットの立上り部についても、その内壁面を耐候性による劣化、雨水等から保護する保護装置が開発されている。
【０００３】
図７は、上記保護装置の構成を示したものである（特開平７−３３１８１７号）。この保護装置は、パラペット６１の頂部にホルダ６３を片持状に固定し、ホルダ６３の屋内側に突き出た部位の下面に上部支持部材６４を取り付ける一方、上部支持部材６４の下方の屋上面に位置調整具６６を固定し、これに下部支持部材６５を取付け、これら上部支持部材６４及び下部支持部材６５の溝部を利用して保護板６３を装着したものである。
【０００４】
上記保護板６３を装着する際には、図８に示すように、まず保護板６３を持ち上げ、この保護板６３の上端部を上部支持部材６４の溝部６８内に押し込み、ついで保護板６３の下端部を下部支持部材６５の溝部６９内に落とし込んで装着する。この装置では、各支持部材６４，６５の溝幅を保護板６３の板厚より大きくして隙間を持たせているため、これら隙間にバネ材６７等を設けて保護板６３のガタツキを防止している。このように、従来の保護装置では、所謂ケンドン方式（上げ落として嵌める方式）によって嵌め込む方法がとられている。
【０００５】
【発明が解決しようとする課題】
しかし、上記ケンドン方式による保護装置は、特にコンクリート板等の重量のある保護板６３を用いる場合、或いは保護板６３のサイズが大きい場合には、保護板６３を持ち上げて上部支持部材６４の溝部６８内に押し込む作業にかなりの労力を要する。さらに、この場合、上部支持部材６４の位置が作業員の目線より下の場合には、保護板６３の溝部６８の位置を上部支持部材内に挿入するのに目で確認しながら行う作業は、感覚を頼りにするしかなく、作業がやりづらいという問題がある。
【０００６】
また、上記保護装置は構造上、上部支持部材６４の溝部６８に差し込みを考慮した隙間を設けており、この隙間による保護板６３のガタツキ防止のためにバネ材或いはパッキン等の押え具を用いる必要があり、加えてこのような押え具を用いる構造では保護板６３の固定強度が損なわれるという問題がある。
【０００７】
本発明は、上記問題点に鑑みてなされたものであり、作業性に優れるとともに設置が強固な建物パラペット部の保護装置を提供することを目的とする。
【０００８】
【課題を解決するための手段】
以上の技術的課題を解決するため、本発明に係る建物パラペット部の保護装置は、図１に示すように、建物のパラペット部の頂部に取付けられ、一部がこのパラペット部１から建物内側に所定間隔をもって突出するようにして設けられたホルダ５と、このホルダ５の上部に装着される笠木２と、上記ホルダ５の建物内側に連結具を用いて取付けられこの連結具と連結される連結部、この連結部から下向きに形成され保護パネル４の上部の片面を受ける受け板２４及びこの受け板から所定の間隔をおいて設けられる側板２３とからなる上部枠部材６と、上部に溝部３５を有し、上記上部枠部材６の下方の建物の基礎面に上部枠部材６と平行に取付けられる長尺状の下部枠部材８と、上記下部枠部材の溝部３５に下端部が挿入され、上記上部枠部材の受け板２４に上端の裏面部が当接される矩形状の保護パネル４と、上記上部枠部材６の上記側板２３の前面に固定され、下部面によって上記保護パネル４上端の表面部を押圧固定する長尺板状の押え部材１０とを有する構成である。
【０００９】
また、本発明に係る建物パラペット部の保護装置は、上記上部枠部材を上記ホルダ５に止着する上記連結具は、このホルダ５の下部に上部枠部材６方向に取り付けられ、ホルダ５の上部に立設される支持部１４の一端部に係合する切欠部及びホルダの他端部側に開口部４４を有する下部連結具４１と、上記支持部１４の他端部に係合する切欠部を有し、上記下部連結具の開口部４４と合致する位置に孔部４９を有する上部連結具４６と、上記上部枠部材６の上面に設けられた溝部に摺動可能に頭部が挿入されるボルト５０及び、上記下部連結具の開口部４４及び上部連結部の孔部４９を通過するボルト軸部を螺合するナット５１とを具備する構成である。
【００１０】
また、本発明に係る建物パラペット部の保護装置は、上記下部連結具４１の開口部４４及び上部連結具の孔部４９の形状は、ともにパラペット部の幅方向に長い長孔状である構成である。
【００１１】
さらに、本発明に係る建物パラペット部の保護装置は、上記上部枠部材６には、挟持により保護パネル４の上端部を仮止めするクリップ４０を止める係止部が設けられている構成である。
【００１２】
【発明の実施の形態】
以下本発明に係る建物パラペット部の保護装置の実施の形態を図面に基づいて説明する。図１は、建物の基礎面としての屋上等から立ち上がるパラペット部に、上記保護装置を適用した場合の構成図である。このパラペット部１の頂部には笠木２を装着するためのホルダ５が取付けられている。このホルダ５は、その中央部を建物寄りにして片持状に取付けられ、建物側に突出した部位の下部には上部枠部材６が取付けられている。
【００１３】
一方、上部枠部材６下方の建物の屋上面３には、所定の距離をおいて上部枠部材６と平行な位置に枠台材７が取り付けられ、これに下部枠部材８が係止されている。そして保護パネル４の下端部を下部枠部材８で保持する一方、保護パネル４の上端部は押え部材１０を用いて上部枠部材６に固定されている。この保護パネル４は、センメントを中空押出成形した矩形状の板材である。
【００１４】
図２にも示すように、上記ホルダ５は、パラペット部１の幅方向に長い板状の基板部１１を有し、この基板部１１の左右端部には下方に傾斜する係止板１２が形成され、また基板部１１の中央には左右に長い長穴１６が設けられている。基板部１１の上部の左右寄りの位置には、上方に突出する第１の支持部１３及び建物寄りにはこれより低い高さの第２の支持部１４がそれぞれ形成され、これら支持部１３，１４の上部にはそれぞれ弾性体１５が固着されている。
【００１５】
上部枠部材６は長尺材であり、その断面は図３に示すように、連結部として、水平な基部１９の両側から立ち上がる側板の上部にはそれぞれ水平板部２０が互いに平行に設けられ、これら水平板部２０によって開口部の狭い溝部２１が形成されている。また、基部１９の両側からは側板２２，２３が垂下し、パラペット部１側の側板２２の下部は外方に屈曲され、この端部に上下方向に保護パネル４を当接する受け板２４が設けられている。上記押え部材１０は、下端が外方向に屈曲する基板部３６及びこの基板部３６の端部から下方に延設される押え部３７を有する長尺板材である。
【００１６】
上記枠台材７は断面略Ｈ状の短尺部材であり、水平な基部２６の両側に形成される側板２７の外側には、水平に係止突条２８が形成されている。上記下部枠部材８は断面略Ｈ状の長尺部材であり、水平な基部３１の両側には上下に側板３２，３３が形成され、この内パラペット部側の上部側の側板３２ａは外側の側板３２ｂより長く形成され、これら側板３２ａ，３２ｂ間には溝部３５が形成されている。また、下部枠部材８の下部側の各側板３３の内側には、水平に係止突条３４が形成され、この係止突条３４は上記枠台材７の係止突条２８と係止可能である。
【００１７】
さて、上記ホルダ５の基板部１１の長さは、パラペット部１の幅よりも長く形成されており、ホルダ５の中央部をパラペット部１頂部の中央より建物寄りに取付け、基板部１１の端部を建物側に突出させる。ホルダ５は、基板部１１の長穴１６にアンカボルト等の止着具３６を用いて固定する。上記ホルダ５の上記突出させた部位の下部面に上部枠部材６を取付ける。
【００１８】
この上部枠部材６の取り付けに際しては、まず図４（ａ）に示すように長尺の下部連結具４１をホルダ５の支持部１４に係止させる。この下部連結具４１は、長方形状の基板の一端がコの字に折曲げられ、この折曲部４２の一部に切欠部４３が設けられ、また基板の他端には入口の狭い開口部４４が形成されている。そして、この下部連結具４１をホルダ５の下面に配置し、上記切欠部４３をホルダ５の支持部１３の脚部に嵌め、同時に折曲部４２をホルダ５の基板部１１の側端部に嵌合する（図４（ｂ））。
【００１９】
次に、図４（ｂ）に示すように、矩形状の上部連結具４６を上部枠部材６の上部に装着する。この上部連結具４６は、中央に長孔４９が設けられた基板の一端の立上部からさらに外向に基板と平行に嵌合板部４７が形成され、この一部に切欠部４８が設けられている。一方、上部連結具４６の上記長孔４９には、下方から平座金を介在して六角ボルト５０が挿通され、上部側はフランジ付きの六角ナット５１が仮締されている。そして、上部連結具４６の六角ボルト５０の頭部を上部枠部材６の端部からその溝部２１に嵌入し、そのまま上部連結具４６を上部枠部材６の内側に摺動移動しておく。
【００２０】
そして、図４（ｃ）のように、上記ホルダ５に取付けた下部連結具４１の下面に上記上部枠部材６を当て、この状態で上記上部連結具４６をホルダ５方向に摺動させ、六角ボルト５０の軸部を、ホルダ５から一部突出する下部連結具４１の開口部４４に突入すると共に、上記切欠部４８をホルダ５の支持部１４の脚部に係止させ、同時にその嵌合板部４７をホルダ５の基板部１１の側端部に嵌合する。この後、六角ナット５１を締めて固定する。
【００２１】
以上の手順で、ホルダ５の下部に上部枠部材６を取付ける。そして他のホルダ５に、この上部枠部材６の他の部位を同様にして取付け、パラペット部１頂部に沿って上部枠部材６を設置する。
【００２２】
一方、上部枠部材６の下方の建物の屋上面３に枠台材７を取り付ける。この枠台材７は、上部枠部材６と平行な位置に所定の間隔をおいて取り付けられ、止着具３６を基部２６を貫通して固定する。そして、これら枠台材７間に下部枠部材８を配置し、枠台材７の側板２７の係止突条２８に下部枠部材８の側板３３の係止突条３４を係止させ、枠台材７に下部枠部材８を係止する。
【００２３】
次に、図５（ａ）に示すように、保護パネル４の下端部を上記下部枠部材８の上部側の側板３２ａに当て、そのまま溝部３５に落とし込むとともに、保護パネル４の上端部を上部枠部材６の受け板２４に当接させて保護パネル４を立設設置する。この場合、保護パネル４の下端部は隙間なく下部枠部材８の溝部３５に嵌合する。この状態で、図５（ｂ）のように、仮止めクリップ４０を用いて上部枠部材６の受け板２４と保護パネル４の上端部とを挟持し、保護パネル４が屋内側に倒れないように仮止めする。このクリップ４０を用いた仮止により、下記押え部材１０を取付ける作業が容易となる。特にエンド部及びコーナ部については、従来のケンドン方式では、保護パネルを側端部を抱えて持ち上げて取り付けその後これを摺動して保護パネルの端部を密閉していたが、この実施の形態においてはこのような摺動させるという作業が不要であり、この点でも作業がし易くまた保護パネルが正確な位置に取り付けられることになる。
【００２４】
通常、仮止めクリップ４０を保護パネル数枚おきに用い、所定枚数の保護パネル４を同様に設置して仮止めする。そして、図５（ｃ）に示すように保護パネル１０の前面に押え部材１０を当て、その押え部３７によって保護パネル４の上部を受け板２４に押圧した状態で、押え部材１０の基板部３６を上部枠部材６の側板２３にビス３９で固定する。
【００２５】
このようにしてパラペット部１の全体に保護パネル４を装着し、保護パネル４でパラペット部１の側面側を覆う。そして、パラペット部１頂部のホルダ５上部に笠木２を装着する。このとき、笠木２の係止突起２ａがホルダ５の係止板１２の先端に弾性係止され、笠木２はホルダ５の第１の支持部１３及第２の支持部１４上部の弾性体１５に圧接する。この保護装置により、パラペット部１の頂部が笠木２によって、また側面部は保護パネル４によって保護され、コンクリートパラペット部の劣化防止、防水等の役目をする。
【００２６】
図６は、アルミニウム板等の板厚の薄い保護パネル９を用いた実施の形態を示したものである。この場合も、基本的な構造は上記実施の形態と同様であるが、例えば、押え部材１０は上記と表裏を逆にして用いることで、薄い保護パネル９の押圧に対応可能であり、また仮止めクリップ５１は幅の狭いものを用いる。一方、下部枠部材８の溝部３５における保護パネル９との隙間については、保護パネル９の下部裏面と下部枠部材８の上部側の側板３２ａとの間に弾性体５２を詰めて固定する。もっとも、薄い保護パネル９に対応させた狭い溝幅の溝部３５を有する下部枠部材を用いれば、隙間なく保護パネル９を保持できるので、何ら上記弾性体５２等を用いる必要はない。
【００２７】
従って、上記実施の形態によれば、保護パネルを上から下部枠部材の溝部に落とし込むだけでパネルが設置できるので、従来のケンドン方式のように保護パネルをいったん持ち上げる動作が不要となって作業が楽になり、特に重量パネルを用いた場合には作業性が大幅に改善される。このように上記実施の形態では、保護パネルの取付けが容易となって施工性が改善され、雨水及び日照等から有効にパラペット部１を保護し、防水性にも優れる。また、下部支持部材の制約（保護パネルのかかり高さ）がないので設計が自由に行えるという効果がある。
【００２８】
また、ケンドン方式の場合には、構造上、上部及び下部支持部材の溝幅は保護パネルの板厚より広く形成するためガタツキが生じ、その防止のためバネ部材或いは弾性体等を隙間に設ける必要があったが、この実施の形態ではその必要がなく、また押え部材１０によって保護パネルを止着したので保護パネルの固定が強固であり、風雨等に対しても有効に保護パネルを保持する。
【００２９】
【発明の効果】
以上説明したように、本発明に係る建物パラペット部の保護装置によれば、パラペット部から建物内側に突出するホルダ、笠木、受け板を有しホルダに連結具を用いて取付けられる上部枠部材と、上部に溝部を有し建物の基礎面に取付けられる下部枠部材と、下部枠部材の溝部に下端部が挿入され上部枠部材の受け板に上端の裏面部が当接される保護パネルと、上部枠部材に固定され保護パネル上端の表面部を押圧固定する押え部材とを有する構成を採用したから、保護パネルを下部枠部材の溝部に落とし込むだけでパネルが設置できて作業が容易となり施工性が改善され、加えて保護パネルの固定が強固であり設置が確実に行えるという効果がある。
【００３０】
また、上部枠部材をホルダに止着する連結具は、切欠部及びホルダの他端部側に開口部を有する下部連結具と、下部連結具の開口部と合致する位置に孔部を有する上部連結具と、上部枠部材に頭部が挿入されるボルト及びナットとを具備する構成としたから、上部枠部材のホルダへの取付けが簡単かつ確実に行えるという効果がある。
【００３１】
また、下部連結具の開口部及び上部連結具の孔部の形状は、ともにパラペット部の幅方向に長い長孔状としたから、連結具の取付けが楽に行え、上部枠部材の取り付け位置の微調整も行えるという効果がある。
【００３２】
さらに、上部枠部材には、挟持により保護パネルの上端部を仮止めするクリップを止める係止部を設けたから、保護パネルを押圧固定する押え部材の取り付けが容易に行えるという効果がある。
【図面の簡単な説明】
【図１】本発明の実施の形態に係る建物パラペット部の保護装置を示す分解斜視図である。
【図２】本発明の実施の形態に係る建物パラペット部の保護装置の断面を示す図である。
【図３】実施の形態に係る保護装置に用いられる部材の説明図である。
【図４】実施の形態に係り、ホルダに上部枠部材を取り付ける説明図であり、（ａ）はホルダに連結具を装着する状態を、（ｂ）は上部枠部材に連結具を装着した状態を、（ｃ）は上部枠部材をホルダに取り付けた状態をそれぞれ示す。
【図５】実施の形態に係る説明図で、（ａ）は保護パネルを下部枠部材に落とし込んだ状態を、（ｂ）は仮止めクリップを用いた仮止めの状態を、（ｃ）は押え部材で保護パネルを固定した状態をそれぞれ示す。
【図６】板厚の薄い保護パネルを用いた実施の形態を示す図である。
【図７】従来例に係る保護装置の構成図である。
【図８】従来例に係る保護装置の設置説明図である。
【符号の説明】
１  パラペット部
２  笠木
３  基礎面（屋上面）
４  保護パネル
５  ホルダ
６  上部枠部材
８  下部枠部材
１０  押え部材
１４  支持部（第２の支持部）
４０  クリップ
４１  下部連結具
４６  上部連結具
【図１】
0003712891.tif 000002
【図２】
0003712891.tif 000003
【図３】
0003712891.tif 000004
【図４】
0003712891.tif 000005
【図５】
0003712891.tif 000006
【図６】
0003712891.tif 000007
【図７】
0003712891.tif 000008
【図８】
0003712891.tif 000009